(57)【要約】【課題】本発明は、電源用負荷機器をそれぞれ直接コンセントのプラグに接続でき、且つ接続した状態で省電力化に対応することのできるコンセントを提供することを課題とする。【解決手段】壁内に設置され、壁内に配線された電源電線を接続する接続端子の設けられたコンセント本体と、交流電源受電用のプラグを差し込む交流プラグ孔の設けられたプレートとから構成されたコンセントにおいて、プレートには、少なくとも１以上の交流プラグ孔と、該交流プラグ孔の電源をそれぞれ独立して入り切りできる電源スイッチとが設けられていることである。【選択図】図１
2005341781.tif 000002
【特許請求の範囲】
【請求項１】
壁内に設置され、壁内に配線した交流の電源電線を接続する接続端子との設けられたコンセント本体と、交流電源受電用のプラグを差し込む交流プラグ孔の設けられたプレートとから構成されたコンセントにおいて、前記プレートには、少なくとも１以上の交流プラグ孔と、該交流プラグ孔の電源をそれぞれ独立して入り切りできる電源スイッチとが設けられていることを特徴とするコンセント。
【請求項２】
前記コンセント本体には、交流電圧を直流電圧に交換するコンバータが内蔵され、且つプレートには、直流電源受電用のプラグを差し込む直流プラグ孔と、該直流プラグ孔の電源を独立して入り切りできる電源スイッチとが設けられている請求項１に記載のコンセント。
【発明の詳細な説明】
【技術分野】
【０００１】本発明は、一般家庭用のコンセント、特に複数のコンセント部を有するコンセントに関する。
【背景技術】
【０００２】一般家庭の屋内に配線された電源は通常交流電源で、壁内に設けられたコンセント本体には、前記交流電源の２〜３個のプラグ孔が設けられたものが使用されている。【０００３】しかし、近年幅広く使用されているパソコン等の駆動源電は直流電源であるために、交流電源を直流の必要電圧に変換する電源アダプターを介して接続する必要があった。【０００４】そこで、壁内に設けられたコンセント本体に、直流電源受電用のプラグを差し込む直流プラグ孔の設けられたコンセントが考えられた。これにより、通常の交流電源用負荷機器への交流電圧供給以外に、直流用負荷機器への直接直流電圧を供給することができることとなった。
【特許文献１】特開２００２−２３１３９６号公報
【発明の開示】
【発明が解決しようとする課題】
【０００５】しかしながら、上記、コンセントはその使用対応は広がったものの、電源用負荷機器を使用しない場合は、省電力化のためにその都度電源用負荷機器のプラグをコンセントのプラグ孔から引き抜くか、又は交流電源の場合は電源コードを介してコンセントに接続された接続コンセントのスイッチを切ることで省電力化に対応しなければならず、再度その電源用負荷機器を使用する際はその逆の対応を必要とする。このためその操作工程が煩雑であった。【０００６】また、プラグのプラグ孔よりの引き抜き、又は差し込みを頻繁に行うと、プラグ部分を損傷しやすいという問題点があった。【０００７】そこで、本発明は、交流電源用負荷機器、直流電源用負荷機器をそれぞれ直接コンセンに接続でき、且つ接続した状態で省電力化の可能なコンセントを提供することを課題とする。
【課題を解決するための手段】
【０００８】本発明は上記のような課題を解決するために、壁内に設置され、壁内に配線した交流の電源電線を接続する接続端子との設けられたコンセント本体と、交流電源受電用のプラグを差し込む交流プラグ孔の設けられたプレートとから構成されたコンセントにおいて、前記プレートには、少なくとも１以上の交流プラグ孔と、該交流プラグ孔の電源をそれぞれ独立して入り切りできる電源スイッチとが設けられていることを第１の解決手段とする。
特徴とするコンセント。【０００９】コンセント本体には、交流電圧を直流電圧に交換するコンバータが内蔵され、且つプレートには、直流電源受電用のプラグを差し込む直流プラグ孔と、該直流プラグ孔の電源を独立して入り切りできる電源スイッチとが設けられていることを第２の解決手段とする。
【作用、及び効果】
【００１０】本発明は、壁内に配線した交流の電源電線を接続する接続端子との設けられたコンセント本体を壁内に設置し、該コンセント本体にプレートを取り付ける。その後、前記プレートに設けられた少なくとも１以上の交流プラグ孔に交流電源用負荷機器のプラグを直接接続し、その状態で使用する。交流電源用負荷機器を使用しない場合は、プレートに設けられた電源スイッチを切ることで、その部分の交流プラグ孔のみ電源を切ることができる。従って、交流電源用負荷機器のプラグは交流プラグ孔に接続したままの状態でいい。
【００１１】また、プレートに設けられた少なくとも１以上の直流プラグ孔に直流電源用負荷機器のプラグを直接接続し、その状態で直流電源用負荷機器を使用する。直流電源用負荷機器を使用しない場合は、プレートに設けられた電源スイッチを切ることで、その部分の直流プラグ孔のみ電源を切ることができる。従って直流電源用負荷機器のプラグは交流プラグ孔に接続したままの状態でよい。
【００１２】このように、交流、又は直流（交流及び直流）の電源用負荷機器を複数台コンセントに直接接続することができ、且つ使用する電源用負荷機器のみ電源スイッチを入りの状態にして使用することができる他、外出時等においては、すべての電源スイッチを切りの状態にすることで、各電源用負荷機器のプラグをプラグ孔から引き抜くことなく省電力化を図ることができる。
【００１３】また、本発明のコンセントはその構成がコンセント本体部分でコンパクトに構成されているために、従来のコンセントと容易に取り替えすることが可能となる。
【発明を実施するための最良の形態・実施例】
【００１４】以下、本発明の実施の形態について説明する。図１は、本発明の第１の実施形態を示す概略平面図であり、図２は図１の概略側面図であり、図３は本発明のコンセントの接続状態を示す概略説明図である。
【００１５】本発明の第１実施形態について図を参照して説明する。このコンセント１は、屋内の壁面内に設置され、空洞状で略矩形状のコンセント本体２と、該コンセント本体２をネジ等で壁面内に固定する枠体３と、該枠体３上にネジ等、又は凹凸を介して設置されたプレート４とから構成されている。
【００１６】前記コンセント本体２には交流電圧を直流電圧に変換するコンバータ５と壁内に配線された交流１００Ｖの電線を接続する接続端子（図示せず）とが設けられている。
【００１７】前記プレート４には、前記接続端子に直結され交流電圧を出力する３個の交流プラグ孔６（６ａ、６ｂ、６ｃ）と、前記コンバータ５からの直流電圧を出力する直流プラグ孔７（７ａ、７ｂ）とが設けられ、且つ交流プラグ孔６（６ａ、６ｂ、６ｃ）、直流プラグ孔７（７ａ、７ｂ）には、それぞれの交流プラグ孔６（６ａ、６ｂ、６ｃ）、直流プラグ孔７（７ａ、７ｂ）を独立して入り切りできる切替スイッチ８（８ａ、８ｃ、８ｄ、８ｄ、８ｅ）が設けられている。尚、交流プラグ孔６及び直流プラグ孔７の数は、上記実施例の数に限定されるものでなく、使用状況、設置場所等に応じて最適な数に設定することが可能である。
【００１８】次に、本発明のコンセント１の動作について説明する。直流電源を駆動電源とするパソコン１０と交流電源を駆動源とするプリンター１１及び電気スタンド１２とを接続して使用する場合について説明する。
【００１９】先ず、コンセント本体２内でコンバータ５により直流電圧に変換され、直流電源として外部に供給される直流プラグ孔７（７ａ）に直流電源用負荷機器としてのパソコン１０のプラグ１４を接続し、交流電圧を出力する交流プラグ孔６（６ａ、６ｂ）に交流電源用負荷機器としてのプリンター１１及び電気スタンド１２のプラグ１５、１６を接続する。その後、それぞれのプラグ孔６（６ａ、６ｂ）、及び７（７ａ）に対応する切替スイッチ８（８ａ、８ｃ、８ｄ）をそれぞれＯＮにすることにより、各直流、交流電源用負荷機器（パソコン１０、プリンター１１及び電気スタンド１２）は駆動電源を得ることができる。
【００２０】また、各直流、交流電源用負荷機器（パソコン１０、プリンター１１及び電気スタンド１２）を使用しない場合は、各直流、交流電源用負荷機器（パソコン１０、プリンター１１及び電気スタンド１２）の電源を切るとともに、切替スイッチ８（８ａ、８ｃ、８ｄ）をそれぞれＯＦＦにすることで、省電力化に対応することができる。
【００２１】尚、上記実施例では、プレート４に交流プラグ孔６と直流プラグ孔７とを設けたが、本発明において交流プラグ孔６と直流プラグ孔７とを設けることは必須の条件ではなく、例えばプレート４に複数の交流プラグ孔６のみを設ける構成でもよく、また直流プラグ孔７のみを設ける構成でもよい。要は、それぞれのプラグ孔６、７に対応した切替スイッチ８が設けられていればプラグ孔６、７に対しては特に限定するものでない。
【００２２】又、上記実施では、直流プラグ孔７の直流電圧の大きさについては説明していないが、例えば、直流プラグ孔７（７ａを６Ｖに設定、７ｂを１２Ｖに設定）をそれぞれ任意の電圧に設定することも可能である。
【００２３】又、上記実施例では、コンセントにおける過電流について説明していないが、例えば、プレート４にブレーカースイッチ（一度に各プラグ孔の電源を切り入りするスイッチ）と警告表示（音、光等）とを設けることにより電源用負荷機器に接続によって許容量以上の電力消費となると警告を発し、コンセント１でブレーカースイッチを切ることも可能である。
【図面の簡単な説明】
【００２４】
【図１】は、本発明の第１の実施形態を示す概略平面図。
【図２】は、図１の概略側面図。
【図３】は、本発明のコンセントの接続状態を示す概略説明図。
【符号の説明】
【００２５】１…コンセント
２…コンセント本体
４…プレート
【図１】
2005341781.tif 000003
【図２】
2005341781.tif 000004
【図３】
2005341781.tif 000005